(57)【要約】【課題】従来、一般的な長方形の一枚布のシーツの場合、家庭ではベッドメークが容易ではなく、また使用するたびにシーツがずれたり皺になったりする欠点があった。また、シーツうら面四隅に弾性材料を縫製したものや巾着状のシーツは側面の見た目が良くない、洗濯干しやアイロンがけが難しいなどの難点がある。本発明は、厚さが異なるマットレスにも対応し、ワンタッチで装着できるシーツを提供する。【解決手段】四隅を四角に切り取った形状のシーツの、上下耳部分のおもて面の、４つの角付近からシーツ上面との境界付近まで、上下の辺に対しそれぞれ４５度の角度で面ファスナーの凹部を帯状に取り付け、左右耳部分の４つの角付近のうら面に面ファスナーの凸部を取り付ける。また、上下耳部分の４つの側辺に重なりを設け、当該重なりのシーツ上面付近のおもて面、および当該位置に相対する左右耳部分のうら面に留め具を取り付けたシーツ。【選択図】図１
2016016305.tif 000002
【特許請求の範囲】
【請求項１】
長方形の一枚布の状態から四隅を四角に切り取った形状のシーツの、上下耳部分のおもて面の、シーツ中央から遠い４つの角付近からシーツ上面との境界付近まで、上下の辺に対しそれぞれ４５度の角度で面ファスナー（凹部）を帯状に取り付け、左右耳部分のシーツ中央から遠い４つの角付近のうら面に面ファスナー（凸部）を取り付けたシーツ。
【請求項２】
上下耳部分の左右側辺に、マットレスに装着した際に四隅が露出しないような左右耳部分との重なり部分を設け、当該重なりのシーツ上面付近のおもて面、および当該位置に相対する左右耳部分のうら面に、留め具を取り付けた請求項１記載のシーツ。
【発明の詳細な説明】
【技術分野】
【０００１】  本発明は、厚さが異なるマットレスに万能に対応しワンタッチで装着できるシーツに関するものである。
【背景技術】
【０００２】  従来、汎用されているシーツは長方形の一枚布でマットレスを包み込んで使用する。また、マットレスの上面だけをカバーするシーツのうら面四隅に弾性材料を斜めに縫製したものや、シーツ辺縁部にひもを通し巾着状にしてマットレスに被せるタイプのシーツも市販されている（特許文献１、特許文献２参照）。
その他、シーツの四隅を切り取り、あるいは四隅に切れ込みを入れ、面ファスナーを取り付けたものなども考案されている（特許文献３、特許文献４、特許文献５参照）。
【先行技術文献】
【特許文献】
【０００３】
【特許文献１】実用新案公開平６−６１１７５
【特許文献２】特許公開平１０−２８６１６０
【特許文献３】特許公開平９−１５４６９０
【特許文献４】登録実用新案第３０６７９００号
【特許文献５】登録実用新案第３１３３７７４号
【発明の概要】
【発明が解決しようとする課題】
【０００４】  一般的な長方形の一枚布のシーツの場合、家庭ではベッドメークが容易ではなく、また使用するたびにシーツがずれたり皺になったりする欠点があった。
この欠点を解消するために、上面のみのシーツのうら面四隅に弾性材料を縫製したものや巾着状のシーツが開発されたが、上面のみのシーツではマットレス側面の見た目が良くない、巾着状のシーツでは洗濯干しやアイロンがけが難しいなどの難点が生じた。
また、四隅を切り、面ファスナーを取り付けたシーツがいくつか考案されているが、厚さが異なるマットレスに対応することができないこと、マットレスの四隅にシーツを正しく配置することが難しくベッドメークが容易でないことから普及には至っていない。
本発明は以上の問題点を解決するものである。
【課題を解決するための手段】
【０００５】  長方形の一枚布の状態から四隅を四角に切り取った形状のシーツの、上下耳部分のおもて面の、シーツ中央から遠い４つの角付近からシーツ上面との境界付近まで、上下の辺に対しそれぞれ４５度の角度で面ファスナーの凹部を帯状に取り付け、左右耳部分のシーツ中央から遠い４つの角付近のうら面に面ファスナーの凸部を取り付ける。
また、上下耳部分の左右側辺に、マットレスに装着した際に四隅が露出しないような左右耳部分との重なり部分を設け、当該重なりのシーツ上面付近のおもて面、および当該位置に相対する左右耳部分のうら面に、留め具（スナップ、ボタン、マグネット、面ファスナー等）を取り付ける。
以上の構成よりなるシーツ。
【発明の効果】
【０００６】  従来、厚さの異なるマットレスに万能に対応し、ワンタッチで装着できるシーツはなかったが、本発明はそれを可能とした。
また、耳部分の重なりの留め具を全て外すとシーツは平面になり、洗濯干しやアイロンがけが容易に行え、留め具を全て留めると、ベッドメークの際にマットレスの四隅にシーツを簡単に正しく配置できる。
【図面の簡単な説明】
【０００７】
【図１】平面状態の斜視図
【図２】立体状態の斜視図
【図３】薄いマットレスに装着した際の斜視図（部分）
【図４】厚いマットレスに装着した際の斜視図（部分）
【発明を実施するための形態】
【０００８】  以下、本発明の実施の形態を説明する。
本シーツは、マットレスの上面をカバーする長方形の中央部分（１）と、その中央部分（１）の各辺より連なりマットレスの側面および底面をカバーする４つの長方形の上下耳部分（２）および左右耳部分（３）、さらに上下耳部分（２）の左右両辺に連なる４つの重なり部（４）からなる。
本シーツの形状は長方形の一枚布の四隅を同じ形、同じ大きさに切り取ることで簡単に作成できる。
【０００９】  本シーツの中央部分（１）の寸法は、マットレスの標準的な幅や奥行き（例えばシングルサイズは幅１００ｃｍ×奥行き１９５〜２００ｃｍ等）と同じである。
【００１０】  本シーツの４つの耳部分（２および３）の長さ、すなわち上下耳部分（２）の左右の辺と左右耳部分（３）の上下の辺の長さは等しく、かつ、厚みのあるマットレスもカバーできるように、汎用されているマットレスの厚さ（高さ）の最大値よりも若干（数ｃｍ程度）長めにする。
【００１１】  上下耳部分（２）のおもて面には、シーツ中央部分（１）から遠い側の角付近から中央部分（１）と上下耳部分（２）の境界付近まで、上下耳部分（２）の上下の辺に対し４５度の角度で面ファスナー凹部（５）を帯状にして取り付け、この面ファスナー凹部（５）を、シーツ長手方向中心を対称に略ハの字状にそれぞれ取り付ける。この面ファスナー凹部（５）は上耳部分、下耳部分、それぞれに取り付ける。面ファスナー凹部（５）の幅は、太すぎると外観が損なわれ、細すぎると面ファスナー凸部（６）との接着が十分でなくなるため、適度な幅が望ましい。
【００１２】  左右耳部分（３）のうら面には、シーツ中央部分（１）から遠い側の角付近に面ファスナー凹部（５）の幅と同じ長さの一辺を有する正方形または長方形、あるいは面ファスナー凹部（５）の幅と同じ長さの直径の円状、もしくはそれらに近似する形状の面ファスナー凸部（６）を取り付ける。この面ファスナー凸部（６）は左耳部分に２箇所、右耳部分に２箇所、計４箇所に取り付ける。面ファスナー凸部（６）の形状が正方形または長方形の場合は、左右耳部分（３）の左右の辺に対しそれぞれ４５度の角度で取り付ける。
【００１３】  なお、上記に代えて、面ファスナー凹部（５）を左右耳部分（３）に、面ファスナー凸部（６）を上下耳部分（２）に、上記と同様の要領で取り付けることも可能である。
【００１４】  また、本シーツ装着時にマットレスの四隅が露出しないように、上下耳部分（２）の左右側辺の一部または全部に、隣接する左右耳部分（３）との重なり部分に相当する数ｃｍ幅の重なり部（４）を設ける。重なり部（４）は、上下耳部分（２）の左右の辺の全部または一部を長辺とする長方形もしくは台形が望ましい。重なり部（４）と上下耳部分（２）との境界線、および中央部分（１）と上下耳部分（２）、左右耳部分（３）との境界線を、それぞれ９０度に山折りにし、重なり部（４）のシーツ中央部分（１）に近いおもて面、および当該位置に相対する左右耳部分（３）のうら面に、スナップまたはボタンまたはマグネットまたは面ファスナー等の留め具（７）を対にして取り付ける。なお、上記に代えて、上記と同様の要領で、重なり部（４）を左右耳部分（３）の上下側辺に設けることも可能である。
本発明は以上のような構造である。
【００１５】  本発明を使用する時は、本シーツを平面状態から、相対する留め具（７）を全て留めることで、マットレスの上面に被せられる立体状態にした上で、シーツ中央部分（１）の四隅をマットレスの四隅に合わせて本シーツを被せる。次に、本シーツに皺が寄らないように上下耳部分（２）でマットレスの側面および底面を包み込む。続いて、同様に左右耳部分（３）でマットレスを包み込む。この時、マットレスの底面にて、左右耳部分（３）のうら面の面ファスナー凸部（６）は、上下耳部分（２）おもて面の帯状の面ファスナー凹部（５）の一部と自動的に接着する。面ファスナー凸部（６）と凹部（５）の接点は、マットレスの厚さ（高さ）により異なる。なお、本シーツはマットレスに限らず、敷布団等にも装着可能である。
【００１６】  本シーツを洗濯干しやアイロンがけする際は、立体構造よりも平面構造の方が作業しやすいため、相対する留め具（７）を全て外す。
【符号の説明】
【００１７】  １  中央部分、  ２  上下耳部分、  ３  左右耳部分、  ４  重なり部、
５  面ファスナー凹部、  ６  面ファスナー凸部、  ７  留め具
【図１】
2016016305.tif 000003
【図２】
2016016305.tif 000004
【図３】
2016016305.tif 000005
【図４】
2016016305.tif 000006